(57)【特許請求の範囲】
【請求項１】
光軸上に、羽根によって開閉される開口部を有する台板と、
前記光軸の軸方向における前記台板の一方側において、前記台板と前記羽根との間に配置され、前記羽根を駆動する駆動源の導線が接合された接合部を有する基板と、
を備え、
前記台板には、前記基板の少なくとも一部が収容されるとともに、前記接合部を覆う被覆材が塗布される基板収容部が設けられ、
前記基板収容部には、前記軸方向の他方側から前記一方側に向かって延びる壁面が設けられ、
前記壁面には、前記軸方向に交差する方向に沿って延在する角部が設けられ、
前記角部は、前記軸方向における前記羽根と前記基板との間に設けられ、前記軸方向の前記一方側に面する段差部、または前記基板収容部内で前記軸方向の前記一方側に向かって立設されたピンの基端よりも縮径形成することで設けられる段差部である、
ことを特徴とする羽根駆動装置。
【請求項２】
前記光軸上に受板開口部を有する羽根受板を備え、
前記羽根受板は、前記羽根と前記開口部との間に配置され、
前記角部は、前記羽根受板と前記基板との間に設けられている、
ことを特徴とする請求項１に記載の羽根駆動装置。
【請求項３】
前記台板には、前記軸方向の前記一方側に向かって立設され、前記基板に接触された位置決め部が設けられ、
前記位置決め部には、前記角部が設けられている、
ことを特徴とする請求項１または２に記載の羽根駆動装置。
【請求項４】
前記基板収容部には、前記軸方向の前記他方側から前記一方側に向かってリブが立設されている、
ことを特徴とする請求項１から３のいずれか１項に記載の羽根駆動装置。
【請求項５】
前記羽根を駆動する駆動源を備え、
前記駆動源は、前記羽根の作動面と前記台板との間に配置されている、
ことを特徴とする請求項１から４のいずれか１項に記載の羽根駆動装置。
【請求項６】
請求項１から５のいずれか１項に記載の羽根駆動装置を備えることを特徴とする光学機器。
【発明の詳細な説明】
【技術分野】
【０００１】
本発明は、羽根駆動装置および光学機器に関するものである。
【背景技術】
【０００２】
近年、携帯電話等に搭載されるカメラ等の光学機器には、撮像性能を向上させるために、羽根駆動装置が搭載されることがある。羽根駆動装置は、開口を有するシャッタ基板と、開口を開閉する羽根の駆動源と、シャッタ基板に保持された可撓性基板と、可撓性基板と駆動源とを電気的に接続する導電性の素線と、を備えている（例えば特許文献１参照）。
【０００３】
上記従来の羽根駆動装置において、可撓性基板と素線との接合をはんだで行う場合がある。この場合には、可撓性基板と素線との接合後に、はんだやはんだに含まれるフラックスが異物として飛散し、撮像素子への付着による画質の低下や、可動部への付着による動作不良等の不具合が生じるおそれがある。
上記不具合を防止するために、可撓性基板と素線との接合部にシリコーン等の樹脂材料からなる被覆材を塗布してはんだを覆い、はんだやフラックスの飛散を防止する方法が考えられる。
【先行技術文献】
【特許文献】
【０００４】
【特許文献１】特開２００８−１２９２９１号公報
【発明の概要】
【発明が解決しようとする課題】
【０００５】
しかしながら、可撓性基板と素線との接合部に被覆材を塗布すると、被覆材がシャッタ基板の表面に濡れ広がって可動部へ付着し、羽根の動作不良が生じるおそれがある。したがって、従来の羽根駆動装置においては、被覆材の塗布範囲を規定して、羽根の動作不良の発生を防止するという点で改善の余地がある。
【０００６】
そこで本発明は、羽根の動作不良を防止できる羽根駆動装置を提供するものである。
【課題を解決するための手段】
【０００７】
本発明の羽根駆動装置は、光軸上に、羽根によって開閉される開口部を有する台板と、前記光軸の軸方向における前記台板の一方側において、前記台板と前記羽根との間に配置され、前記羽根を駆動する駆動源の導線が接合された接合部を有する基板と、を備え、前記台板には、前記基板の少なくとも一部が収容されるとともに、前記接合部を覆う被覆材が塗布される基板収容部が設けられ、前記基板収容部には、前記軸方向の他方側から前記一方側に向かって延びる壁面が設けられ、前記壁面には、前記軸方向に交差する方向に沿って延在する角部が設けられ、前記角部は、前記軸方向における前記羽根と前記基板との間に設けられ、前記軸方向の前記一方側に面する段差部、または前記基板収容部内で前記軸方向の前記一方側に向かって立設されたピンの基端よりも縮径形成することで設けられる段差部である、ことを特徴とする。
【０００８】
基板収容部内に被覆材を塗布すると、被覆材が表面張力により壁面上に濡れ広がる。壁面に角部が設けられている場合、被覆材は、角部を乗り越えた濡れ広がりが規制される。
本発明によれば、壁面には、軸方向における羽根と基板との間に、軸方向に交差する方向に沿って延在する角部が設けられているので、基板収容部内に被覆材を塗布したときに、壁面の角部において被覆材が軸方向他方側から一方側へと濡れ広がることを規制できる。これにより、被覆材が軸方向における羽根の位置（すなわち羽根の作動面内）に進入することを防止して、羽根の可動部に被覆材が付着することを防止できる。したがって、羽根の動作不良を防止できる羽根駆動装置が得られる。
しかも、角部により被覆材の濡れ広がりを規制できるので、羽根をより軸方向における基板側に接近して配置することが可能となる。これにより、羽根駆動装置の軸方向における寸法を小さくすることができる。したがって、小型な羽根駆動装置が得られる。
【０００９】
上記の羽根駆動装置において、前記光軸上に受板開口部を有する羽根受板を備え、前記羽根受板は、前記羽根と前記開口部との間に配置され、前記角部は、前記羽根受板と前記基板との間に設けられている、ことが望ましい。
【００１０】
本発明によれば、角部が羽根受板と基板との間に設けられているため、被覆材が羽根受板に接触することを防止できる。これにより、被覆材が羽根受板を伝って羽根の可動部に接触することを防止できる。したがって、羽根の動作不良を防止できる羽根駆動装置が得られる。
【００１１】
上記の羽根駆動装置において、前記台板には、前記軸方向の前記一方側に向かって立設され、前記基板に接触された位置決め部が設けられ、前記位置決め部には、前記角部が設けられている、ことが望ましい。
【００１２】
本発明によれば、位置決め部により基板の位置決めを行うことができるとともに、位置決め部に角部が設けられているので、位置決め部を伝って被覆材が羽根の作動面に濡れ広がることを防止できる。したがって、羽根の動作不良を防止できる羽根駆動装置が得られる。
【００１３】
上記の羽根駆動装置において、前記基板収容部には、前記軸方向の前記他方側から前記一方側に向かってリブが立設されている、ことが望ましい。
【００１４】
本発明によれば、基板収容部には、軸方向の他方側から一方側に向かってリブが立設されているので、基板収容部内に塗布された被覆材が基板収容部外へ流れ出ることをリブにより規制できる。これにより、被覆材の塗布範囲を規定できるとともに、基板収容部外を伝って被覆材が羽根の作動面に濡れ広がることを防止できる。したがって、羽根の動作不良を防止できる羽根駆動装置が得られる。
また、基板収容部にはリブが設けられているので、台板の強度を向上させることができる。
【００１５】
上記の羽根駆動装置において、前記羽根を駆動する駆動源を備え、前記駆動源は、前記羽根の作動面と前記台板との間に配置されている、ことが望ましい。
【００１６】
本発明によれば、駆動源が羽根の作動面と台板との間に配置され、軸方向において被覆材と同様に、羽根の作動面に進入していないため、駆動源が羽根の作動面よりも外側に配置される構成と比較して、羽根の動作不良を防止できると共に、羽根駆動装置の軸方向における寸法を小さくすることができる。したがって、小型な羽根駆動装置が得られる。
【００１７】
本発明の光学機器は、上記の羽根駆動装置を備えることを特徴とする。
本発明によれば、上記の羽根駆動装置を備えることで、羽根の動作不良を防止でき、撮像性能の優れた光学機器とすることができる。
【発明の効果】
【００１８】
本発明によれば、壁面には、軸方向における羽根と基板との間に、軸方向に交差する方向に沿って延在する角部が設けられているので、基板収容部内に被覆材を塗布したときに、壁面の角部において被覆材が軸方向他方側から一方側へと濡れ広がることを規制できる。これにより、被覆材が羽根の作動面内に進入することを防止して、羽根の可動部に被覆材が付着することを防止できる。したがって、羽根の動作不良を防止できる羽根駆動装置が得られる。
【図面の簡単な説明】
【００１９】
【図１】光学機器のブロック図である。
【図２】羽根駆動装置の斜視図である。
【図３】羽根駆動装置の分解斜視図である。
【図４】図３におけるＡ部の拡大図である。
【図５】図４のＶ−Ｖ線における断面図である。
【発明を実施するための形態】
【００２０】
以下、本発明の実施形態を図面に基づいて説明する。
図１は、光学機器のブロック図である。
図１に示すように、光学機器１０１は、例えば携帯電話等に搭載されるカメラであって、羽根駆動装置１と、カメラモジュール５０と、制御部１０２と、撮像素子１０４と、を備えている。
【００２１】
カメラモジュール５０は、焦点距離を調整するためのレンズと、レンズを駆動するレンズ駆動装置等を備えている。
制御部１０２は、光学機器１０１の全体の動作を制御しており、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えている。制御部１０２は、羽根駆動装置１およびカメラモジュール５０の動作を制御する。
撮像素子１０４は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等であって、光により形成された被写体像を電気信号に変換する。
【００２２】
図２は、羽根駆動装置の斜視図である。
図２に示すように、羽根駆動装置１は、カメラモジュール５０のレンズの光軸Ｐ方向（以下、単に「軸方向」という。）に厚みを有する、軸方向視矩形状の直方体状に形成されている。羽根駆動装置１は、カメラモジュール５０に対して、軸方向に重ねて配置される。なお、以下の説明では、軸方向におけるカメラモジュール５０から見た羽根駆動装置１側を「軸方向外側」といい、その反対側を「軸方向内側」という。
【００２３】
図３は、羽根駆動装置の分解斜視図である。
図３に示すように、羽根駆動装置１は、光軸Ｐ上に開口部５を有する台板２と、開口部５よりも軸方向外側に配置され、開口部５を規制する第１シャッタ羽根２３、第２シャッタ羽根２４および絞り羽根２８と、各シャッタ羽根２３，２４を駆動する第１アクチュエータ１０Ａ（駆動源）と、絞り羽根２８を駆動する第２アクチュエータ１０Ｂ（駆動源）と、各アクチュエータ１０Ａ，１０Ｂの導線９が接合された接合部６ｃを有するフレキシブル基板６（基板）と、を備えている。なお、各羽根２３，２４，２８による開口部５の規制とは、開口部５の開口面積を調整することである。
【００２４】
台板２は、例えば樹脂材料により形成され、羽根駆動装置１の外形をなしている。台板２は、矩形板状のベース部３と、ベース部３の外周縁から軸方向外側に向けて立設された矩形枠状の周壁部４と、を有する。ベース部３の中央部には、光軸Ｐを中心とするように、ベース部３を軸方向に貫通する開口部５が形成されている。開口部５の開口縁部には、ベース部３から軸方向外側に向けて立設された環状の開口壁部７が形成されている。開口壁部７の軸方向外側の先端部は、軸方向に直交する平面状に形成されている。
【００２５】
図４は、図３におけるＡ部の拡大図である。図５は、図４のＶ−Ｖ線における断面図である。
台板２の角領域には、周壁部４と、開口壁部７と、により挟まれ、フレキシブル基板６の一部が収容されるとともに、後述する被覆材８（図５参照）が塗布される基板収容部４０が設けられている。図４に示すように、基板収容部４０には、リブ４１Ａ，４１Ｂがベース部３から軸方向外側に向かって立設されている。リブ４１Ａ，４１Ｂは、周壁部４の外形をなす４辺のうち基板収容部４０を形成する２辺それぞれの中間部と、開口壁部７と、の間にそれぞれ設けられている。リブ４１Ａ，４１Ｂは、それぞれ光軸Ｐの径方向（以下、単に「径方向」という。）に沿うように設けられている。リブ４１Ａ，４１Ｂは、それぞれ径方向における中間部分において分断され、その隙間には各アクチュエータ１０Ａ，１０Ｂとフレキシブル基板６とを接続する導線９が配置される。リブ４１Ａ，４１Ｂの軸方向外側の先端部は、軸方向に直交する平面状に形成され、開口壁部７の先端部と面一となっている。
【００２６】
基板収容部４０におけるベース部３は、基板収容部４０外に対して、軸方向内側に向けて一様に凹んでいる（図５参照）。ベース部３におけるリブ４１Ａの隙間、およびリブ４１Ｂの隙間には、それぞれ段差３ａ，３ｂが形成されている。
【００２７】
基板収容部４０には、複数（本実施形態では４個）のピン４３〜４６が設けられている。複数のピン４３〜４６は、台板２の角に対応する隅部に配置された第１ピン４３（位置決め部）、リブ４１Ａに近接して配置された第２ピン４４、リブ４１Ｂに近接して配置された第３ピン４５、および第２ピン４４と第３ピン４５との間に配置された第４ピン４６である。各ピン４３〜４６は、円柱状に形成され、台板２のベース部３から軸方向外側に向かって立設されている。
【００２８】
第１ピン４３の先端部は、周壁部４の先端と軸方向において同じ位置に設けられている。第１ピン４３には、基端に形成された大径部４３ａと、先端に形成された小径部４３ｂと、大径部４３ａと小径部４３ｂとの間に形成された異径段差面４３ｃと、を有する。異径段差面４３ｃは、軸方向外側に面し、軸方向に直交する平面状に形成されている。異径段差面４３ｃは、開口壁部７の先端部およびリブ４１Ａ，４１Ｂの先端部と軸方向において同じ位置に位置している。
【００２９】
第１ピン４３の大径部４３ａの外周面４３ｄ（壁面）は、ベース部３から軸方向外側に向かって延びている。大径部４３ａの外周面４３ｄには、軸方向に直交する方向に沿って延在する角部４３ｅが、全周にわたって形成されている。角部４３ｅは、第１ピン４３の縦断面視で略直角に形成されている。角部４３ｅは、大径部４３ａの先端を基端よりも僅かに縮径形成することで設けられる段差部である。角部４３ｅは、軸方向における各羽根２３，２４，２８とフレキシブル基板６との間に設けられている。
【００３０】
第２ピン４４の先端部は、第１ピン４３の先端部と軸方向において同じ位置に設けられている。第２ピン４４の外周面４４ａ（壁面）は、ベース部３から軸方向外側に向かって延びている。第２ピン４４の外周面４４ａには、軸方向に直交する方向に沿って延在する角部４４ｂが、全周にわたって形成されている。角部４４ｂは、第２ピン４４の縦断面視で略直角に形成されている。角部４４ｂは、第２ピン４４の先端を基端よりも僅かに縮径形成することで設けられる段差部である。角部４４ｂは、第１ピン４３の角部４３ｅと軸方向において同じ位置に設けられている。
【００３１】
第３ピン４５の先端部は、面取りされている。第３ピン４５の先端部は、開口壁部７の先端部およびリブ４１Ａ，４１Ｂの先端部と軸方向において同じ位置に設けられている。
第４ピン４６の先端部は、開口壁部７の先端部およびリブ４１Ａ，４１Ｂの先端部と軸方向において同じ位置に設けられている。
【００３２】
基板収容部４０における周壁部４には、間欠部４ａが設けられている。また、基板収容部４０における周壁部４の内壁面４ｂ（壁面）は、ベース部３から外側に向かって延びている。内壁面４ｂには、軸方向に直交する方向に沿って延在する角部４ｃが、基板収容部４０に対応する領域の略全体にわたって形成されている。角部４ｃは、軸方向に沿う平面で見た断面視で略直角に形成されている。角部４ｃは、軸方向外側に面する段差面を有する段差部である。角部４ｃは、第１ピン４３の角部４３ｅと軸方向において同じ位置に設けられている。
【００３３】
図３に示すように、各アクチュエータ１０Ａ，１０Ｂは、台板２と各羽根２３，２４，２８との間に配置されている。
第１アクチュエータ１０Ａは、永久磁石を備えたロータ１１Ａと、励磁されることによりロータ１１Ａとの間で磁力が作用するステータ１２Ａと、ステータ１２Ａを励磁するためのコイル１３Ａと、を備えている。ロータ１１Ａは、台板２に回転可能に支持されている。ロータ１１Ａには、駆動ピン１４Ａが設けられている。駆動ピン１４Ａには、各シャッタ羽根２３，２４が連結されている。第１アクチュエータ１０Ａは、台板２の基板収容部４０が設けられた角領域と隣り合う角領域に配置されている。
【００３４】
第２アクチュエータ１０Ｂは、第１アクチュエータ１０Ａと同様の構成を有している。すなわち、第２アクチュエータ１０Ｂは、永久磁石を備えたロータ１１Ｂと、励磁されることによりロータ１１Ｂとの間で磁力が作用するステータ１２Ｂと、ステータ１２Ｂを励磁するためのコイル１３Ｂと、を備えている。ロータ１１Ｂは、台板２に回転可能に支持されている。ロータ１１Ｂには、駆動ピン１４Ｂが設けられている。駆動ピン１４Ｂには、絞り羽根２８が連結されている。第２アクチュエータ１０Ｂは、台板２の角領域のうち、第１アクチュエータ１０Ａが配置された角領域とは台板２の開口部５を挟んで反対側の角領域に配置されている。
【００３５】
図４に示すように、台板２には、不図示の配線が形成されたフレキシブル基板６が保持されている。フレキシブル基板６は、台板２の周壁部４の外部から、間欠部４ａを通じて基板収容部４０内に導入されている。フレキシブル基板６は、例えば両面テープ等により台板２のベース部３に固定されている。また、フレキシブル基板６は、基板収容部４０の外部に位置する端部に形成された端子部６ｄにおいて制御部１０２（図１参照）に接続されている。
【００３６】
フレキシブル基板６には、一対の挿通孔６ａ，６ｂが形成されている。挿通孔６ａ，６ｂは、それぞれ基板収容部４０内の第１ピン４３および第４ピン４６に対応して形成されている。挿通孔６ａ，６ｂには、それぞれ各ピン４３，４６が挿通され、フレキシブル基板６（挿通孔６ａ，６ｂの内周縁）と各ピン４３，４６とが接触している。
【００３７】
フレキシブル基板６は、基板収容部４０において、導線９を介して各アクチュエータ１０Ａ，１０Ｂ（図３参照）のコイル１３Ａ，１３Ｂに接続している。フレキシブル基板６と導線９とは、フレキシブル基板６の軸方向外側に面する面上の接合部６ｃにおいて、例えばはんだ等により接合されている。図５に示すように、接合部６ｃは、シリコーン等の樹脂材料からなる被覆材８により覆われている。被覆材８は、フレキシブル基板６の軸方向外側に面する面と、基板収容部４０におけるフレキシブル基板６以外の領域と、の両方にわたって塗布されている。
【００３８】
図３に示すように、台板２の周壁部４の内側における開口部５よりも軸方向外側には、上述した各羽根２３，２４，２８と、各羽根２３，２４，２８と開口部５との間に配置された第１羽根受板２１（羽根受板）と、各シャッタ羽根２３，２４と絞り羽根２８との間に配置された第２羽根受板２６と、各羽根２３，２４，２８よりも軸方向外側に配置された押え板３０と、が配置されている。
【００３９】
第１羽根受板２１は、例えば樹脂材料等により、矩形板状に形成されている。第１羽根受板２１は、軸方向視で台板２の周壁部４の内形状よりも僅かに小さく形成されている。第１羽根受板２１は、光軸Ｐ上に第１受板開口部２２（受板開口部）を有する。第１受板開口部２２の内径は、台板２の開口部５の内径よりも小さくなっている。また、第１羽根受板２１には、台板２の基板収容部４０に設けられた第１ピン４３の小径部４３ｂが挿通される貫通孔２１ａと、第２ピン４４が配置される切欠部２１ｂと、台板２の基板収容部４０外に設けられたピン２ａ，２ｂ，２ｃ，２ｄが挿通される貫通孔２１ｃ，２１ｄ，２１ｅ，２１ｆと、第１アクチュエータ１０Ａのロータ１１Ａに設けられた駆動ピン１４Ａの移動を逃すための逃げ孔２１ｇと、第２アクチュエータ１０Ｂのロータ１１Ｂに設けられた駆動ピン１４Ｂの移動を逃すための逃げ孔２１ｈと、が形成されている。第１羽根受板２１は、台板２の開口壁部７の先端部、リブ４１Ａ，４１Ｂの先端部、第１ピン４３の異径段差面４３ｃ、第３ピン４５および第４ピン４６の先端部に載置されている（図４および図５参照）。
【００４０】
第２羽根受板２６は、例えば樹脂材料等により、第１羽根受板２１と略同一の矩形板状に形成されている。第２羽根受板２６は、光軸Ｐ上に第２受板開口部２７を有する。第２受板開口部２７の内径は、第１羽根受板２１の第１受板開口部２２の内径と同等となっている。また、第２羽根受板２６には、台板２の第１ピン４３の小径部４３ｂおよび第２ピン４４が挿通される貫通孔２６ａ，２６ｂと、台板２のピン２ａ，２ｂ，２ｃ，２ｄが挿通される貫通孔２６ｃ，２６ｄ，２６ｅ，２６ｆと、第１アクチュエータ１０Ａの駆動ピン１４Ａの移動を逃すための逃げ孔２６ｇと、第２アクチュエータ１０Ｂの駆動ピン１４Ｂの移動を逃すための逃げ孔２６ｈと、が形成されている。
【００４１】
各シャッタ羽根２３，２４は、第１羽根受板２１と第２羽根受板２６との間に配置されている。各シャッタ羽根２３，２４は、台板２の開口部５を開閉する。第１シャッタ羽根２３には、台板２のピン２ａと係合する支持孔２３ａと、第１アクチュエータ１０Ａの駆動ピン１４Ａに係合するカム孔２３ｂと、が形成されている。第２シャッタ羽根２４には、台板２のピン２ｂと係合する支持孔２４ａと、第１アクチュエータ１０Ａの駆動ピン１４Ａに係合するカム孔２４ｂと、が形成されている。各シャッタ羽根２３，２４は、第１アクチュエータ１０Ａのロータ１１Ａの駆動を受けて、それぞれピン２ａ，２ｂ周りに同時に回動し、台板２の開口部５から退避した退避状態と開口部５を閉鎖する閉鎖状態との間を移行する。このとき、各シャッタ羽根２３，２４は、第１羽根受板２１と第２羽根受板２６との間において、軸方向に直交する面（作動面）に沿って回動する。
【００４２】
各シャッタ羽根２３，２４は、退避状態および閉鎖状態において台板２に当接することで、回動位置が規制されている。具体的に、退避状態において、第１シャッタ羽根２３は台板２の周壁部４に当接し、第２シャッタ羽根２４は台板２の第１ピン４３および第２ピン４４に当接する。また、閉鎖状態において、第１シャッタ羽根２３は台板２の第１ピン４３に当接し、第２シャッタ羽根２４は台板２の周壁部４に当接する。
【００４３】
絞り羽根２８は、台板２の開口部５の開口面積を規制する。絞り羽根２８の基端部には、台板２のピン２ｃと係合する支持孔２８ａと、第２アクチュエータ１０Ｂの駆動ピン１４Ｂに係合するカム孔２８ｂと、が形成されている。絞り羽根２８の先端部は、幅広に形成されている。絞り羽根２８は、第２アクチュエータ１０Ｂのロータ１１Ｂの駆動を受けて、ピン２ｃ周りに回動し、第２羽根受板２６の第２受板開口部２７から退避した状態と、第２受板開口部２７を覆う状態と、の間を移行する。このとき、絞り羽根２８は、第２羽根受板２６と押え板３０との間において、軸方向に直交する面（作動面）に沿って回動する。絞り羽根２８は、第２受板開口部２７から退避した状態および第２受板開口部２７を覆う状態において台板２に当接することで、回動位置が規制されている。具体的に、第２受板開口部２７から退避した状態において、絞り羽根２８は台板２の周壁部４に当接し、第２受板開口部２７を覆う状態において、絞り羽根２８は台板２のピン２ｄに当接する。
【００４４】
絞り羽根２８の先端部は、第２受板開口部２７を覆う状態において、第２受板開口部２７と完全に重なるように形成されている。また、絞り羽根２８の先端部には、第２受板開口部２７を覆う状態において、光軸Ｐを中心とするように設けられた小絞り孔２９が形成されている。小絞り孔２９の内径は、第２受板開口部２７の内径よりも小さくなっている。絞り羽根２８は、第２受板開口部２７を覆う状態において、小絞り孔２９により、第２受板開口部２７を通過する光量を絞っている。
【００４５】
押え板３０は、軸方向から見て第１羽根受板２１および第２羽根受板２６と略同一の矩形状に形成されている。押え板３０には、第１羽根受板２１および第２羽根受板２６と同様に、光軸Ｐを中心とするように形成された開口３１と、台板２の第１ピン４３の小径部４３ｂおよび第２ピン４４が挿通される貫通孔３０ａ，３０ｂと、台板２のピン２ａ，２ｂ，２ｃ，２ｄが挿通される貫通孔３０ｃ，３０ｄ，３０ｅ，３０ｆと、第１アクチュエータ１０Ａの駆動ピン１４Ａの移動を逃すための逃げ孔３０ｇと、第２アクチュエータ１０Ｂの駆動ピン１４Ｂの移動を逃すための逃げ孔３０ｈと、が形成されている。開口３１の内径は、各羽根受板２１，２６の各受板開口部２２，２７の内径と同等となっている。また、押え板３０の外周縁には、台板２に係止される引掛部３２が複数形成されている。これにより押え板３０は、各羽根２３，２４，２８および各羽根受板２１，２６が台板２の周壁部４の内側に配置された状態で、台板２の周壁部４の内側を覆っている。
【００４６】
以下、本実施形態の羽根駆動装置１の作用について説明する。
フレキシブル基板６を台板２に取り付けるときには、フレキシブル基板６を周壁部４の間欠部４ａを通じて基板収容部４０内に配置し、挿通孔６ａ，６ｂにそれぞれ台板２の第１ピン４３および第４ピン４６を挿通させる。フレキシブル基板６は、台板２のベース部３に対して例えば両面テープで固定される。このとき、挿通孔６ａ，６ｂの内周縁と各ピン４３，４６とを接触させることで、台板２に対してフレキシブル基板６を位置決めすることができる。
【００４７】
基板収容部４０に配置されたフレキシブル基板６の接合部６ｃには、各アクチュエータ１０Ａ，１０Ｂのコイル１３Ａ，１３Ｂに接続された導線９がはんだにより接合される。さらに、基板収容部４０内には、導線９が接合された接合部６ｃを覆うように、被覆材８が塗布される。このとき、被覆材８は、フレキシブル基板６と、基板収容部４０におけるフレキシブル基板６以外の領域と、の両方にわたって塗布された状態とする。これにより、はんだやはんだに含まれるフラックスが異物として接合部６ｃから飛散することを防止できるとともに、フレキシブル基板６と台板２とをより強固に固定することができる。
【００４８】
基板収容部４０内に塗布された被覆材８は、流動性を有し、表面張力により濡れ広がる場合がある。この場合には、周壁部４の内壁面４ｂや、第１ピン４３の外周面４３ｄ、第２ピン４４の外周面４４ａ（以下、「壁面４ｂ，４３ｄ，４４ａ」という。）を伝って軸方向外側に向かって濡れ広がるおそれがある。
【００４９】
ここで一般に、流動性を有する物質は、表面張力により部材表面上を濡れ広がるとき、部材表面上に角部が形成されていると、角部を乗り越えて濡れ広がることが規制される。
本実施形態では、壁面４ｂ，４３ｄ，４４ａには、軸方向における各シャッタ羽根２３，２４とフレキシブル基板６との間に、軸方向に直交する方向に沿って延在する角部４ｃ，４３ｅ，４４ｂが形成されている。このため、図５に示すように、基板収容部４０内でフレキシブル基板６上に塗布された被覆材８が、壁面４ｂ，４３ｄ，４４ａの角部４ｃ，４３ｅ，４４ｂにおいて軸方向外側へ濡れ広がることを規制できる。これにより、被覆材８が各羽根２３，２４，２８の作動面に進入することを防止できる。その結果、各羽根２３，２４，２８の可動部（例えば第２シャッタ羽根２４と台板２の第１ピン４３および第２ピン４４との当接部）に被覆材８が付着することを防止できる。したがって、各羽根２３，２４，２８の動作不良を防止できる。
【００５０】
しかも、壁面４ｂ，４３ｄ，４４ａの角部４ｃ，４３ｅ，４４ｂにより被覆材８の軸方向の濡れ広がりを規制できるので、各羽根２３，２４，２８をよりフレキシブル基板６に接近して配置することが可能となる。これにより、羽根駆動装置１の軸方向における寸法を小さくすることができる。したがって、小型な羽根駆動装置１とすることができる。
【００５１】
また、壁面４ｂ，４３ｄ，４４ａの角部４ｃ，４３ｅ，４４ｂは、第１羽根受板２１とフレキシブル基板６との間に設けられているので、被覆材８が第１羽根受板２１に接触することを防止できる。これにより、被覆材８が第１羽根受板２１を伝って各羽根２３，２４，２８の可動部に接触することを防止できる。
【００５２】
また、台板２には、フレキシブル基板６に接触された第１ピン４３が形成され、第１ピン４３の外周面４３ｄには、角部４３ｅが形成されている。このため、フレキシブル基板６の台板２に対する位置決めを行うことができるとともに、第１ピン４３の外周面４３ｄを伝って被覆材８が各羽根２３，２４，２８の作動面に濡れ広がることを防止できる。したがって、各羽根２３，２４，２８の動作不良を防止できる。
【００５３】
また、基板収容部４０には、軸方向内側から外側に向かってリブ４１Ａ，４１Ｂが立設されているので、基板収容部４０内に塗布された被覆材８が基板収容部４０外へ流れ出ることをリブ４１Ａ，４１Ｂにより規制できる。
さらに、基板収容部４０におけるベース部３は、基板収容部４０外に対して、軸方向内側に向けて凹んでいるので、基板収容部４０内に塗布された被覆材８が基板収容部４０外へ流れ出ることをより確実に規制できる。
これにより、被覆材８の塗布範囲を規定できるとともに、基板収容部４０外を伝って被覆材８が各羽根２３，２４，２８の作動面に濡れ広がることを防止できる。したがって、各羽根２３，２４，２８の動作不良を防止できる。
【００５４】
また、各アクチュエータ１０Ａ，１０Ｂが各羽根２３，２４，２８の作動面と台板２との間に配置され、軸方向において被覆材８と同様に、羽根の作動面に進入していないため、各アクチュエータ１０Ａ，１０Ｂが各羽根２３，２４，２８の作動面よりも外側に配置される構成と比較して、各羽根２３，２４，２８の動作不良を防止できると共に、羽根駆動装置１の軸方向における寸法を小さくすることができる。したがって、小型な羽根駆動装置１とすることができる。また、各アクチュエータ１０Ａ，１０Ｂは、軸方向に直交する平面において、各羽根２３，２４，２８の作動範囲と重なる構成となっているため、軸方向に直交する平面においても寸法を小さくすることができる。
【００５５】
また、光学機器１０１は、上述した羽根駆動装置１を備えているので、各羽根２３，２４，２８の動作不良を防止できる。しかも、被覆材８により、はんだやはんだに含まれるフラックスが接合部６ｃから異物として飛散することを防止できるので、異物の撮像素子への付着による画質の低下や、可動部への付着による動作不良等の不具合を防止できる。したがって、撮像性能の優れた光学機器１０１とすることができる。
【００５６】
なお、本発明は、図面を参照して説明した上述の実施形態に限定されるものではなく、その技術的範囲において様々な変形例が考えられる。
例えば、上記実施形態においては、被覆材８は、シリコーン等の樹脂材料により構成されているが、これに限定されず、例えばＵＶ硬化性樹脂等であってもよい。ただし、自然硬化させることが可能なシリコーン等の樹脂材料のほうが、製造工程を簡略化できるという点で有利である。
【００５７】
また、上記実施形態では、角部が周壁部４の内壁面４ｂ、第１ピン４３の外周面４３ｄ、および第２ピン４４の外周面４４ａに設けられているが、これに限定されるものではない。例えば、角部は、第１ピン４３の外周面４３ｄ、および第２ピン４４の外周面４４ａのみに形成されていてもよいし、基板収容部４０における開口壁部７の壁面等に形成されていてもよい。
【００５８】
さらに、上記実施形態では、角部４ｃ，４３ｅ，４４ｂが断面視略直角に形成されているが、これに限定されず、角部は鈍角に形成されていてもよいし、鋭角に形成されていてもよい。
【００５９】
その他、本発明の趣旨を逸脱しない範囲で、上記した実施の形態における構成要素を周知の構成要素に置き換えることは適宜可能である。
【符号の説明】
【００６０】
１…羽根駆動装置  ２…台板  ４ｂ…内壁面（壁面）  ４ｃ…角部  ５…開口部  ６…フレキシブル基板（基板）  ８…被覆材  ９…導線  １０Ａ…第１アクチュエータ（駆動源）  １０Ｂ…第２アクチュエータ（駆動源）  ２１…第１羽根受板（羽根受板）  ２２…第１受板開口部（受板開口部）  ２３…第１シャッタ羽根（羽根）  ２４…第２シャッタ羽根（羽根）  ２８…絞り羽根（羽根）  ４０…基板収容部  ４１Ａ，４１Ｂ…リブ  ４３…第１ピン（位置決め部）  ４３ｄ…外周面（壁面）  ４３ｅ…角部  ４４ａ…外周面（壁面）  ４４ｂ…角部  １０１…光学機器  Ｐ…光軸
【図１】
0006579316.tif 000002
【図２】
0006579316.tif 000003
【図３】
0006579316.tif 000004
【図４】
0006579316.tif 000005
【図５】
0006579316.tif 000006